(57)【要約】【課題】複数のＰＳＣを用いる場合においても、セクタ端におけるスクランブルコード検出性能を低下させることなく全体のセルサーチ性能を改善する。【解決手段】セクタ毎のＰ−ＳＣＨとして異なる複数のＰＳＣを用いる無線通信システムにおけるセルサーチ方法において、各ＰＳＣにおける一部が共通するように複数のＰＳＣを設定し、複数のＰＳＣにおける共通する一部と、いずれかのＰＳＣとのいずれかを選択し、複数のＰＳＣにおける共通する一部またはいずれかのＰＳＣを用いて伝搬路推定を行なう。【選択図】図１
2008263576.tif 000002
【特許請求の範囲】
【請求項１】
セクタ毎のＰ−ＳＣＨとして異なる複数のＰＳＣを用いる無線通信システムにおけるセルサーチ方法であって、
各ＰＳＣにおける一部が共通するように前記複数のＰＳＣを設定し、前記複数のＰＳＣにおける共通する一部と、いずれかのＰＳＣとのいずれかを選択し、前記複数のＰＳＣにおける共通する一部またはいずれかのＰＳＣを用いて伝搬路推定を行なうことを特徴とするセルサーチ方法。
【請求項２】
移動局装置の位置を推定し、当該推定結果に応じて前記複数のＰＳＣにおける共通する一部と、いずれかのＰＳＣとのいずれかを選択することを特徴とする請求項１記載のセルサーチ方法。
【請求項３】
前記移動局装置で受信信号の受信電力を測定し、当該受信電力の大きさに応じて当該移動局装置の位置を推定することを特徴とする請求項２記載のセルサーチ方法。
【請求項４】
前記複数のＰＳＣのレプリカ信号波形を前記移動局装置で保持し、前記移動局装置で受信した前記複数のＰＳＣと、当該複数のＰＳＣのレプリカ信号波形との相関値の大きさに応じて当該移動局装置の位置を推定することを特徴とする請求項２記載のセルサーチ方法。
【請求項５】
前記複数のＰＳＣのレプリカ信号波形を前記移動局装置で保持し、前記移動局装置で受信した前記複数のＰＳＣと、当該複数のＰＳＣのレプリカ信号波形との相関値の大きさ、および受信した時間に応じて当該移動局装置の位置を推定することを特徴とする請求項２記載のセルサーチ方法。
【請求項６】
前記複数のＰＳＣのうち相関値が最大のＰＳＣを、前記いずれかのＰＳＣとして選択することを特徴とする請求項４または請求項５記載のセルサーチ方法。
【請求項７】
セクタ毎のＰ−ＳＣＨとして異なる複数のＰＳＣを用いる無線通信システムの基地局装置であって、
各ＰＳＣにおける一部が共通する前記複数のＰＳＣを生成する同期信号生成部と、
前記同期信号生成部により生成された前記複数のＰＳＣをセクタ毎に出力する出力部と、を備えることを特徴とする基地局装置。
【請求項８】
セクタ毎のＰ−ＳＣＨとして異なる複数のＰＳＣを用いる無線通信システムの基地局装置であって、
各ＰＳＣにおける一部が共通する前記複数のＰＳＣを生成する同期信号生成部と、
前記同期信号生成部により生成された前記複数のＰＳＣをセクタ毎に出力する出力部と、を備え、
前記同期信号生成部は、
前記ＰＳＣが共通するサブキャリアに、Ｓ−ＳＣＨの一部であってセルサーチにおける優先度が高い情報を配置することを特徴とする基地局装置。
【請求項９】
セクタ毎のＰ−ＳＣＨとして異なる複数のＰＳＣを用いる無線通信システムの移動局装置であって、
各ＰＳＣにおける一部が共通するように設定された前記複数のＰＳＣを受信する受信部と、
前記複数のＰＳＣと当該複数のＰＳＣのレプリカ信号波形との相関値が最大となるＰＳＣを検出すると共に、前記複数のＰＳＣの受信電力と予め定めた閾値との比較により伝搬路推定に利用するサブキャリアを決定する同期部と、
前記同期部により決定されたサブキャリアに基づいて伝搬路推定を行なう伝搬路推定部と、を備えることを特徴とする移動局装置。
【請求項１０】
セクタ毎のＰ−ＳＣＨとして異なる複数のＰＳＣを用いる無線通信システムの移動局装置であって、
各ＰＳＣにおける一部が共通するように設定された前記複数のＰＳＣを受信する受信部と、
前記複数のＰＳＣと当該複数のＰＳＣのレプリカ信号波形との相関値から各ＰＳＣの最大相関値を検出すると共に、前記各ＰＳＣの最大相関値と予め定めた閾値との比較により伝搬路推定に利用するサブキャリアを決定する同期部と、
前記同期部により決定されたサブキャリアに基づいて伝搬路推定を行なう伝搬路推定部と、を備えることを特徴とする移動局装置。
【請求項１１】
セクタ毎のＰ−ＳＣＨとして異なる複数のＰＳＣを用いる無線通信システムの移動局装置であって、
各ＰＳＣにおける一部が共通するように設定された前記複数のＰＳＣを受信する受信部と、
前記複数のＰＳＣと当該複数のＰＳＣのレプリカ信号波形との相関値から各ＰＳＣの最大相関値および当該最大相関値の検出タイミングを検出すると共に、前記各ＰＳＣの最大相関値および当該最大相関値の検出タイミングと予め定めた閾値との比較により伝搬路推定に利用するサブキャリアを決定する同期部と、
前記同期部により決定されたサブキャリアに基づいて伝搬路推定を行なう伝搬路推定部と、を備えることを特徴とする移動局装置。
【請求項１２】
セクタ毎のＰ−ＳＣＨとして異なる複数のＰＳＣを用いる無線通信システムの移動局装置であって、
各ＰＳＣにおける一部が共通するように設定された前記複数のＰＳＣを受信する受信部と、
前記共通する一部のサブキャリアのＰＳＣを用いて、セクタで共通である信号の伝搬路推定を行なう伝搬路推定部と、を備えることを特徴とする移動局装置。
【請求項１３】
セクタ毎のＰ−ＳＣＨとして異なる複数のＰＳＣを用いる無線通信システムの移動局装置であって、
各ＰＳＣにおける一部が共通するように設定された前記複数のＰＳＣを受信する受信部と、
前記共通する一部のサブキャリアのＰＳＣを用いて、Ｓ−ＳＣＨの一部であってセルサーチにおける優先度が高い情報のサブキャリアの伝搬路推定を行なう伝搬路推定部と、を備えることを特徴とする移動局装置。
【発明の詳細な説明】
【技術分野】
【０００１】
本発明は、セルサーチ方法、基地局装置および移動局装置に関し、特に、マルチキャリア通信方式を採用したセルラ移動体通信のダウンリンク（下り伝送）信号に含まれる同期チャネル（ＳＣＨ：Synchronization Channel）を利用してセルサーチの性能を向上させるセルサーチ方法、基地局装置および移動局装置に関する。
【背景技術】
【０００２】
近年、Ｗ−ＣＤＭＡ方式をはじめとする第３世代移動体通信（３Ｇ）が世界的に普及しており、現在、さらにダウンリンクにおいて１００Ｍｂ／ｓ〜１Ｇｂ／ｓの通信速度を実現する第４世代移動体通信（４Ｇ）が検討されている。さらには、第３世代（３Ｇ）から第４世代（４Ｇ）への完全な移行をスムーズに行なうために、３Ｇの周波数帯を使いつつ、４Ｇの新技術と親和性の高い通信方式を導入して通信の高速化を行なうＥ−ＵＴＲＡ（Evolved-UTRA）の規格化も進められている。
【０００３】
移動体通信システムでは、移動局は、初期同期確立のために、あるいは、ハンドオーバーのために、自機が接続しようとする基地局および基地局のアンテナを検出する必要がある。このように移動局が通信を行なう対象である基地局とのコネクションを確立するために行なわれる時間的な同期、すなわち基地局から送信される通信フレームを精度良く受信するためのタイミングを合わせる作業や、基地局との通信を行なう上で必要とされる通信パラメータなどの情報を取得する作業を一般的に「セルサーチ」と呼んでいる。通常、セルサーチは時間同期から行なわれる。また、基地局とのコネクション確立後もセルサーチと同様の方法によって既知の信号（例えば、ＳＣＨ）を使用して同期保持が行なわれる。
【０００４】
例えば、Ｗ−ＣＤＭＡ方式を使用した第３世代移動体通信におけるセルサーチは、３段セルサーチと呼ばれる３ステップに分けられた方法により実行される。３段階セルサーチは、一般に、同期チャネル（ＳＣＨ）と共通パイロットチャネル（ＣＰＩＣＨ：Common Pilot Channel）とを使用して、まず、ＳＣＨの受信タイミングを検出し（第１段階）、次に、ＳＣＨコードの相関検出によってフレームタイミングとスクランブルコードグループの同定を実施し（第２段階）、次に、ＣＰＩＣＨを用いた相関検出によって、スクランブルコードを同定する（第３段階）という３段階の手順で行なわれている。
【０００５】
また、次世代移動体通信規格であるＥ−ＵＴＲＡでは、変調方式としてＯＦＤＭ（Orthogonal Frequency Division Multiplexing：直交周波数分割多重）が用いられるものの、セルサーチに関しては、上記の３段階セルサーチの考え方を踏襲した技術が提案されている（例えば、非特許文献１参照）。
【０００６】
非特許文献１では、マルチキャリア通信方式（ＯＦＤＭ通信方式を使用）における３段階セルサーチにおいて、時間同期を第１同期チャネル（Ｐ−ＳＣＨ：Primary Synchronization Channel）によって行なっている。Ｐ−ＳＣＨには、基地局と移動局で既知の符号（ＰＳＣ：Primary Synchronization Code）が割り当てられ、基地局から送信されている。
【０００７】
さらに、通信パラメータなどの情報を第２同期チャネル（Ｓ−ＳＣＨ：Secondary Synchronization Channel）、およびＷ−ＣＤＭＡ方式のＣＰＩＣＨに相当する共通リファレンス信号（Ｃ−ＲＳ：Common Reference Signal）から取得する。
【０００８】
また、複数種類のＰＳＣを隣接するセル間で干渉しないように配置し（３セルリユース）、所望の基地局に正確に時間同期および初期接続情報の取得、すなわち、セルサーチが行なえるようなＰ−ＳＣＨ構造の提案も行なわれている。
【０００９】
非特許文献２および非特許文献３においては、同一基地局の制御するセル内にあるセクタ間で３つのそれぞれ直交するＰＳＣを使い分けることによって、移動局が通信を行なう最適な基地局を選択できるようにする提案が行なわれている。
【００１０】
また、非特許文献３においては、受信したＰ−ＳＣＨの信号波形と、移動局内に保持されたレプリカ信号波形との差から伝搬路推定を行ない、この伝搬路推定結果を用いて隣接した時間領域で送信されたＳ−ＳＣＨの伝搬路を補償することについても述べられている。
【００１１】
図１６に、非特許文献３で提案されている無線フレームを示す。図１６に示すように、１０ｍｓのフレームは、０．５ｍｓの２０個のサブフレームから構成されている。各々のサブフレームは、７つのＯＦＤＭシンボルで構成されている。１フレームにおける１サブフレーム目および１１サブフレーム目の最後のＯＦＤＭシンボルにおいてＰ−ＳＣＨが配置され、最後から２番目のＯＦＤＭシンボルにＳ−ＳＣＨが配置されている。
【００１２】
次に、図１７にセルの構成の一例を示す。図１７に示すように、セルａ、ｂ、ｃは、各々３つのセクタから構成されており、各セルの中心にある基地局ａ、ｂ、ｃから各セルの各セクタに対して、上記フレーム構造の電波が送信される。
【００１３】
なお、ここでは、Ｓ−ＳＣＨに割り当てられる符号（ＳＳＣ：Secondary Synchronization Code）は、セル毎に固有の信号であり、すなわち、同一セル内の各セクタのＳ−ＳＣＨに対しては同じＳＳＣが送信されるものとする。
【００１４】
図１７に示すセルにおいて、上述のように、同一セル内のセクタ間で上記３つのそれぞれ直交するＰＳＣを使い分ける場合を仮定する。なお、異なるセル間において、同一セクタ番号のＰＳＣは同じものが用いられる。
【００１５】
初期セルサーチを行なう移動局１は、基地局ａのセクタ２、基地局ｂのセクタ３、基地局ｃのセクタ１から送信された信号を受信する。そして、３種類のＰ−ＳＣＨの自局内で保持しているレプリカと受信した信号との相関を一定期間観測し、相関ピークが最大となる時刻およびＰＳＣの種類から、自局が同期する対象となるセクタ番号（ここでは、セクタ３）と、フレームのタイミングとを取得する。
【００１６】
次に、移動局１は、セクタ３のＰＳＣのレプリカと受信したＰ−ＳＣＨ信号との差から伝搬路推定を行なう。各セクタのＰＳＣが直交している場合、直交している単位で伝搬路推定を行なうことができる。さらに、取得したフレームタイミングからＳ−ＳＣＨの位置を同定し、上述したＰ−ＳＣＨの伝搬路推定結果を用いて伝搬路補償を行なう。
【００１７】
そして、伝搬路補償されたＳ−ＳＣＨからスクランブルコードグループを同定し、Ｃ−ＲＳよりスクランブルコードを同定する。なお、ここでは、Ｃ−ＲＳによりスクランブルコードを同定しているが、他にもスクランブルコードをＳ−ＳＣＨを用いて同定するシステムを構築することも可能である。
【００１８】
以上においては、３つの異なるＰＳＣを用いた場合について説明している。このように複数の異なるＰＳＣを用いた場合には、複数のセル（セクタ）から受信したＰ−ＳＣＨを分離することができ、これらのＰ−ＳＣＨを用いた伝搬路推定精度を向上させることができる。これにより、Ｓ−ＳＣＨによる伝搬路補償精度が向上し、セクタ毎の伝搬路補償が可能となるため、セルサーチ性能（スクランブルコード同定確率）を改善することが可能となる。
【００１９】
これに対し、各セクタで共通のＰＳＣを用いる場合には、複数のセル（セクタ）から受信したＰ−ＳＣＨを分離することができないため、Ｐ−ＳＣＨを用いた伝搬路推定精度が劣化する。この結果、Ｓ−ＳＣＨの伝搬路補償精度が劣化し、スクランブルコードの検出誤りが、複数のＰＳＣを用いた場合よりも増加することとなる。
【非特許文献１】３ＧＰＰ寄書  “Ｒ１−０６２７２２  ，  “Ｔｈｒｅｅ−Ｓｔｅｐ  Ｃｅｌｌ  Ｓｅａｒｃｈ  Ｍｅｔｈｏｄ  ｆｏｒ  Ｅ−ＵＴＲＡ”，［平成１８年１１月１日］，インターネット（ＵＲＬ：  ｆｔｐ：／／ｆｔｐ．３ｇｐｐ．ｏｒｇ／ＴＳＧ＿ＲＡＮ／ＷＧ１＿ＲＬ１／ＴＳＧＲ１＿４６ｂｉｓ／Ｄｏｃｓ／Ｒ１−０６２７２２．ｚｉｐ）
【非特許文献２】３ＧＰＰ寄書  “Ｒ１−０７０２１６  ，  “Ｆｕｒｔｈｅｒ  Ｒｅｓｕｌｔｓ  ｏｎ  Ｍｕｌｔｉｐｌｅ  Ｐ−ＳＣＨ  Ｃｏｍｐｌｅｘｉｔｙ  ｆｏｒ  Ｅ−ＵＴＲＡ  Ｃｅｌｌ  Ｓｅａｒｃｈ”，［平成１９年１月１５日検索］，インターネット（ＵＲＬ：  ｆｔｐ：／／ｆｔｐ．３ｇｐｐ．ｏｒｇ／ＴＳＧ＿ＲＡＮ／ＷＧ１＿ＲＬ１／ＴＳＧＲ１＿４７ｂｉｓ／Ｄｏｃｓ／Ｒ１−０７０２１６．ｚｉｐ）
【非特許文献３】３ＧＰＰ寄書  “Ｒ１−０７００８６  ，  “Ｉｎｖｅｓｔｉｇａｔｉｏｎｓ  ｏｎ  Ｐｒｉｍａｒｙ−ＳＣＨ  ｓｅｑｕｅｎｃｅｓ  ｆｏｒ  Ｅ−ＵＴＲＡ  Ｄｏｗｎｌｉｎｋ”，［平成１９年１月１５日検索］，インターネット（ＵＲＬ：  ｆｔｐ：／／ｆｔｐ．３ｇｐｐ．ｏｒｇ／ＴＳＧ＿ＲＡＮ／ＷＧ１＿ＲＬ１／ＴＳＧＲ１＿４７ｂｉｓ／Ｄｏｃｓ／Ｒ１−０７００８６．ｚｉｐ）
【発明の開示】
【発明が解決しようとする課題】
【００２０】
ところで、Ｅ−ＵＴＲＡにおいては、上述したように、複数のＰＳＣを用いたセルサーチ技術が検討されている。しかしながら、図１７に示す移動局２のような同一セル内のセクタ端にいる移動局においては、基地局ａから送信されるセクタ２、セクタ３のＰＳＣのどちらか一方のＰＳＣレプリカ（ここでは、仮にセクタ２のレプリカとする）を用いて伝搬路推定を行なうことになる。このため、Ｓ−ＳＣＨからスクランブルコードグループを同定する際に、他方（セクタ３）のＳ−ＳＣＨがセクタ２と同一のＳＳＣ信号であるにも関わらず、干渉成分となってしまい、スクランブルコード検出性能が劣化してしまう。このように複数のＰＳＣを用いる場合、セル端ではスクランブルコード検出能力が向上するが、セクタ端では検出能力が低下するという問題がある。
【００２１】
なお、これに対し、単一のＰＳＣを用いる場合には、セクタ２のＳ−ＳＣＨと、セクタ３のＳ−ＳＣＨとの両方のＳＳＣ信号を信号成分として受信することができるため、セクタ端におけるスクランブルコード検出能力が向上する。
【００２２】
本発明は、このような事情に鑑みて為されたものであり、複数のＰＳＣを用いる場合においても、セクタ端におけるスクランブルコード検出能力を低下させることなく全体のセルサーチ性能を改善することができるセルサーチ方法、基地局装置および移動局装置を提供することを目的とする。
【課題を解決するための手段】
【００２３】
（１）上記の目的を達成するため、本発明は、以下のような手段を講じた。すなわち、本発明に係るセルサーチ方法は、セクタ毎のＰ−ＳＣＨとして異なる複数のＰＳＣを用いる無線通信システムにおけるセルサーチ方法であって、各ＰＳＣにおける一部が共通するように前記複数のＰＳＣを設定し、前記複数のＰＳＣにおける共通する一部と、いずれかのＰＳＣとのいずれかを選択し、前記複数のＰＳＣにおける共通する一部またはいずれかのＰＳＣを用いて伝搬路推定を行なうことを特徴としている。
【００２４】
このように、複数のＰＳＣにおける共通する一部またはいずれかのＰＳＣを用いて伝搬路推定が行なわれる。このため、例えば、移動局装置がセクタ端に存在する場合に複数のＰＳＣにおける共通する一部を用いて伝搬路推定を行なうことにより、単一のＰＳＣでのセクタ端での伝搬路推定と同様の特性を得ることができる。これにより、セクタ端におけるスクランブルコード検出能力を低下させることなく全体のセルサーチ性能を改善することが可能となる。なお、移動局装置がセクタ端以外に存在する場合には、いずれかのＰＳＣを用いて伝搬路推定を行なうことにより、セル端等におけるスクランブルコード検出能力も向上することができる。
【００２５】
（２）本発明に係るセルサーチ方法においては、移動局装置の位置を推定し、当該推定結果に応じて前記複数のＰＳＣにおける共通する一部と、いずれかのＰＳＣとのいずれかを選択することを特徴としている。
【００２６】
このように、移動局装置の位置の推定結果に応じて複数のＰＳＣにおける共通する一部と、いずれかのＰＳＣとのいずれかが選択されることから、移動局装置の位置に応じて伝搬路推定に用いられるＰＳＣを切り替えることができる。このため、例えば、移動局装置がセクタ端に存在する場合に複数のＰＳＣにおける共通する一部を用いて伝搬路推定を行なうことにより、単一のＰＳＣでのセクタ端での伝搬路推定と同様の特性を得ることができる。
【００２７】
（３）本発明に係るセルサーチ方法においては、前記移動局装置で受信信号の受信電力を測定し、当該受信電力の大きさに応じて当該移動局装置の位置を推定することを特徴としている。
【００２８】
このように、受信電力の大きさに応じて移動局装置の位置が推定されることから、移動局装置と基地局装置との距離に応じて伝搬路推定に用いられるＰＳＣを切り替えることができる。例えば、移動局装置がセクタ端に存在する場合に複数のＰＳＣにおける共通する一部を用いて伝搬路推定を行なうことにより、単一のＰＳＣでのセクタ端での伝搬路推定と同様の特性を得ることができる。
【００２９】
（４）本発明に係るセルサーチ方法において、前記複数のＰＳＣのレプリカ信号波形を前記移動局装置で保持し、前記移動局装置で受信した前記複数のＰＳＣと、当該複数のＰＳＣのレプリカ信号波形との相関値の大きさに応じて当該移動局装置の位置を推定することを特徴としている。
【００３０】
このように、受信した複数のＰＳＣと、複数のＰＳＣのレプリカ信号波形との相関値の大きさに応じて当該移動局装置の位置が推定されることから、複数のＰＳＣの相関関係に応じて伝搬路推定に用いられるＰＳＣを切り替えることができる。例えば、移動局装置がセクタ端に存在する場合に複数のＰＳＣにおける共通する一部を用いて伝搬路推定を行なうことにより、単一のＰＳＣでのセクタ端での伝搬路推定と同様の特性を得ることができる。
【００３１】
（５）本発明に係るセルサーチ方法において、前記複数のＰＳＣのレプリカ信号波形を前記移動局装置で保持し、前記移動局装置で受信した前記複数のＰＳＣと、当該複数のＰＳＣのレプリカ信号波形との相関値の大きさ、および受信した時間に応じて当該移動局装置の位置を推定することを特徴としている。
【００３２】
このように、受信した複数のＰＳＣと、複数のＰＳＣのレプリカ信号波形との相関値の大きさ、および受信した時間に応じて移動局装置の位置が推定されることから、複数のＰＳＣの相関関係および複数のＰＳＣの受信時間に応じて伝搬路推定に用いられるＰＳＣを切り替えることができる。例えば、移動局装置がセクタ端に存在する場合に複数のＰＳＣにおける共通する一部を用いて伝搬路推定を行なうことにより、単一のＰＳＣでのセクタ端での伝搬路推定と同様の特性を得ることができる。
【００３３】
（６）本発明に係るセルサーチ方法において、前記複数のＰＳＣのうち相関値が最大のＰＳＣを、前記いずれかのＰＳＣとして選択することを特徴としている。
【００３４】
このように、複数のＰＳＣのうち相関値が最大のＰＳＣが、上記いずれかのＰＳＣとして選択されることから、いずれかのＰＳＣを用いて伝搬路推定を行なう場合においても、スクランブルコード検出能力を向上してセルサーチ性能を向上することが可能となる。
【００３５】
（７）本発明の基地局装置は、セクタ毎のＰ−ＳＣＨとして異なる複数のＰＳＣを用いる無線通信システムの基地局装置であって、各ＰＳＣにおける一部が共通する前記複数のＰＳＣを生成する同期信号生成部と、前記同期信号生成部により生成された前記複数のＰＳＣをセクタ毎に出力する出力部と、を備えることを特徴としている。
【００３６】
このように、各ＰＳＣにおける一部が共通する複数のＰＳＣが生成され、セクタ毎に出力されることから、例えば、移動局装置がセクタ端に存在する場合に複数のＰＳＣにおける共通する一部を用いて伝搬路推定を行なうことにより、単一のＰＳＣでのセクタ端での伝搬路推定と同様の特性を得ることができる。これにより、セクタ端におけるスクランブルコード検出能力を低下させることなく全体のセルサーチ性能を改善することが可能となる。
【００３７】
（８）本発明の基地局装置は、セクタ毎のＰ−ＳＣＨとして異なる複数のＰＳＣを用いる無線通信システムの基地局装置であって、各ＰＳＣにおける一部が共通する前記複数のＰＳＣを生成する同期信号生成部と、前記同期信号生成部により生成された前記複数のＰＳＣをセクタ毎に出力する出力部と、を備え、前記同期信号生成部は、前記ＰＳＣが共通するサブキャリアに、Ｓ−ＳＣＨの一部であってセルサーチにおける優先度が高い情報を配置することを特徴としている。
【００３８】
このように、各ＰＳＣにおける一部が共通する複数のＰＳＣが生成され、セクタ毎に出力されることから、例えば、移動局装置がセクタ端に存在する場合に複数のＰＳＣにおける共通する一部を用いて伝搬路推定を行なうことにより、単一のＰＳＣでのセクタ端での伝搬路推定と同様の特性を得ることができる。ＰＳＣが共通するサブキャリアに、Ｓ−ＳＣＨの一部であってセルサーチにおける優先度が高い情報を配置するので、優先度の高い情報の復調制度を高めることが可能となる。その結果、セクタ端におけるスクランブルコード検出能力を低下させることなく全体のセルサーチ性能を改善することが可能となる。
【００３９】
（９）本発明の移動局装置は、セクタ毎のＰ−ＳＣＨとして異なる複数のＰＳＣを用いる無線通信システムの移動局装置であって、各ＰＳＣにおける一部が共通するように設定された前記複数のＰＳＣを受信する受信部と、前記複数のＰＳＣと当該複数のＰＳＣのレプリカ信号波形との相関値が最大となるＰＳＣを検出すると共に、前記複数のＰＳＣの受信電力と予め定めた閾値との比較により伝搬路推定に利用するサブキャリアを決定する同期部と、前記同期部により決定されたサブキャリアに基づいて伝搬路推定を行なう伝搬路推定部と、を備えることを特徴としている。
【００４０】
このように、複数のＰＳＣと、複数のＰＳＣのレプリカ信号波形との相関値が最大となるＰＳＣを検出すると共に、複数のＰＳＣの受信電力と予め定めた閾値との比較により伝搬路推定に利用するサブキャリアが決定される。これにより、受信電力の大きさに応じて伝搬路推定に用いるＰＳＣを切り替えることができるので、移動局装置と基地局装置との距離に応じて効果的に伝搬路推定に用いるＰＳＣを選択することができる。このため、例えば、移動局装置がセクタ端に存在する場合に複数のＰＳＣにおける共通する一部を用いて伝搬路推定を行なうことにより、単一のＰＳＣでのセクタ端での伝搬路推定と同様の特性を得ることができる。これにより、セクタ端におけるスクランブルコード検出能力を低下させることなく全体のセルサーチ性能を改善することが可能となる。
【００４１】
（１０）本発明の移動局装置は、セクタ毎のＰ−ＳＣＨとして異なる複数のＰＳＣを用いる無線通信システムの移動局装置であって、各ＰＳＣにおける一部が共通するように設定された前記複数のＰＳＣを受信する受信部と、前記複数のＰＳＣと当該複数のＰＳＣのレプリカ信号波形との相関値から各ＰＳＣの最大相関値を検出すると共に、前記各ＰＳＣの最大相関値と予め定めた閾値との比較により伝搬路推定に利用するサブキャリアを決定する同期部と、前記同期部により決定されたサブキャリアに基づいて伝搬路推定を行なう伝搬路推定部と、を備えることを特徴としている。
【００４２】
このように、複数のＰＳＣと、複数のＰＳＣのレプリカ信号波形との相関値から各ＰＳＣの最大相関値を検出すると共に、各ＰＳＣの最大相関値と予め定めた閾値との比較により伝搬路推定に利用するサブキャリアが決定される。これにより、複数のＰＳＣと、複数のＰＳＣのレプリカ信号波形との相関値に応じて伝搬路推定に用いるＰＳＣを切り替えることができるので、移動局装置の位置に応じて効果的に伝搬路推定に用いるＰＳＣを選択することができる。このため、例えば、移動局装置がセクタ端に存在する場合に複数のＰＳＣにおける共通する一部を用いて伝搬路推定を行なうことにより、単一のＰＳＣでのセクタ端での伝搬路推定と同様の特性を得ることができる。これにより、セクタ端におけるスクランブルコード検出能力を低下させることなく全体のセルサーチ性能を改善することが可能となる。
【００４３】
（１１）本発明の移動局装置は、セクタ毎のＰ−ＳＣＨとして異なる複数のＰＳＣを用いる無線通信システムの移動局装置であって、各ＰＳＣにおける一部が共通するように設定された前記複数のＰＳＣを受信する受信部と、前記複数のＰＳＣと当該複数のＰＳＣのレプリカ信号波形との相関値から各ＰＳＣの最大相関値および当該最大相関値の検出タイミングを検出すると共に、前記各ＰＳＣの最大相関値および当該最大相関値の検出タイミングと予め定めた閾値との比較により伝搬路推定に利用するサブキャリアを決定する同期部と、前記同期部により決定されたサブキャリアに基づいて伝搬路推定を行なう伝搬路推定部と、を備えることを特徴としている。
【００４４】
このように、複数のＰＳＣと、複数のＰＳＣのレプリカ信号波形との相関値から各ＰＳＣの最大相関値および当該最大相関値の検出タイミングを検出すると共に、各ＰＳＣの最大相関値および当該最大相関値の検出タイミングと予め定めた閾値との比較により伝搬路推定に利用するサブキャリアが決定される。これにより、複数のＰＳＣと、複数のＰＳＣのレプリカ信号波形との相関値に応じて伝搬路推定に用いるＰＳＣを切り替えることができるので、複数のＰＳＣの検出タイミングを加味しながら、移動局装置の位置に応じて効果的に伝搬路推定に用いるＰＳＣを選択することができる。このため、例えば、移動局装置がセクタ端に存在する場合に複数のＰＳＣにおける共通する一部を用いて伝搬路推定を行なうことにより、単一のＰＳＣでのセクタ端での伝搬路推定と同様の特性を得ることができる。これにより、セクタ端におけるスクランブルコード検出能力を低下させることなく全体のセルサーチ性能を改善することが可能となる。
【００４５】
（１２）本発明の移動局装置は、セクタ毎のＰ−ＳＣＨとして異なる複数のＰＳＣを用いる無線通信システムの移動局装置であって、各ＰＳＣにおける一部が共通するように設定された前記複数のＰＳＣを受信する受信部と、前記共通する一部のサブキャリアのＰＳＣを用いて、セクタで共通である信号の伝搬路推定を行なう伝搬路推定部と、を備えることを特徴としている。
【００４６】
このように、共通する一部のサブキャリアのＰＳＣを用いて、セクタで共通である信号の伝搬路推定を行なうので、復調制度を高めることができ、セルサーチ性能を向上させることが可能となる。
【００４７】
（１３）本発明の移動局装置は、セクタ毎のＰ−ＳＣＨとして異なる複数のＰＳＣを用いる無線通信システムの移動局装置であって、各ＰＳＣにおける一部が共通するように設定された前記複数のＰＳＣを受信する受信部と、前記共通する一部のサブキャリアのＰＳＣを用いて、Ｓ−ＳＣＨの一部であってセルサーチにおける優先度が高い情報のサブキャリアの伝搬路推定を行なう伝搬路推定部と、を備えることを特徴としている。
【００４８】
このように、各ＰＳＣにおける一部が共通するように設定された前記複数のＰＳＣを用いて、Ｓ−ＳＣＨの一部であってセルサーチにおける優先度が高い情報のサブキャリアの伝搬路推定を行なうので、例えば、セクタ端に存在する場合に複数のＰＳＣにおける共通する一部を用いて伝搬路推定を行なうことにより、単一のＰＳＣでのセクタ端での伝搬路推定と同様の特性を得ることができる。また、セルサーチにおける優先度の高い情報の復調制度を高めることが可能となる。その結果、セクタ端におけるスクランブルコード検出能力を低下させることなく全体のセルサーチ性能を改善することが可能となる。
【発明の効果】
【００４９】
本発明によれば、各ＰＳＣにおける一部が共通するように設定された複数のＰＳＣのうち、複数のＰＳＣにおける共通する一部またはいずれかのＰＳＣを用いて伝搬路推定を行なうようにしたことから、例えば、移動局装置がセクタ端に存在する場合に複数のＰＳＣにおける共通する一部を用いて伝搬路推定を行なうことにより、単一のＰＳＣでのセクタ端での伝搬路推定と同様の特性を得ることができる。これにより、複数のＰＳＣを用いる場合においても、セクタ端におけるスクランブルコード検出能力を低下させることなく全体のセルサーチ性能を改善することが可能となる。
【００５０】
以下、本発明の実施の形態について、図面を参照しながら説明する。
（第１の実施形態）
まず、以下に本発明に係るセルサーチ方法で用いられるＰ−ＳＣＨの説明を行なう。本発明におけるＰ−ＳＣＨは、複数のＰＳＣを用いるものとし、周波数軸上に配置された各ＰＳＣの一部のサブキャリアの信号が同一となるよう設計されたものを用いる。
【００５１】
図１は、本発明の第１の実施形態に係るセルサーチ方法で用いられる、周波数軸上のサブキャリアに配置されたＰ−ＳＣＨの一例を示す図である。図１に示すように、セクタ１のＰ−ＳＣＨ符号（ＰＳＣ（１，ｎ））、セクタ２のＰ−ＳＣＨ符号（ＰＳＣ（２，ｎ））、セクタ３のＰ−ＳＣＨ符号（ＰＳＣ（３，ｎ））は、以下の式で表される。
ＰＳＣ（１，ｎ）＝Ａ（ｎ）＊ｅｘｐ（ｊ＊２＊ｐｉ＊０／３＊ｎ）
ＰＳＣ（２，ｎ）＝Ａ（ｎ）＊ｅｘｐ（ｊ＊２＊ｐｉ＊２／３＊ｎ）
ＰＳＣ（３，ｎ）＝Ａ（ｎ）＊ｅｘｐ（ｊ＊２＊ｐｉ＊４／３＊ｎ）
ｎ＝０，１，２，……，Ｎ−１  （ＮはＰ−ＳＣＨで使われるコード長）
【００５２】
ここで、Ａ（ｎ）＝１（ｎ＝０，１，…，１２−１）とすると、図１により、ＰＳＣ（１）、ＰＳＣ（２）およびＰＳＣ（３）は、以下のように表すことができ、ｅｘｐ（ｊ＊０）＝１より、４サブキャリア間隔で３つのＰＳＣで同一の信号（＝１）が現れる。これは、Ａ（ｎ）が任意の値をとる場合にも成り立つ。
ＰＳＣ（１）＝［１  １  １  １  １  １  １  １  １  １  １  １］
ＰＳＣ（２）＝ｅｘｐ（ｊ＊［０  ２π／３  ４π／３  ０  ２π／３  ４π／３  ０  ２π／３  ４π／３  ０  ２π／３  ４π／３］）
ＰＳＣ（３）＝ｅｘｐ（ｊ＊［０  ４π／３  ２π／３  ０  ４π／３  ２π／３  ０  ４π／３  ２π／３  ０  ４π／３  ２π／３］）
【００５３】
ここで、上記３種類のＰＳＣを各セクタのＰ−ＳＣＨとして送信する基地局装置（以下、適宜「基地局」という）の一例を示す。図２は、第１の実施形態に係る基地局の構成を示すブロック図である。
【００５４】
図２に示すように、第１の実施形態に係る基地局１００は、各回路ブロックを制御する制御部１０１を備えると共に、受信アンテナ部１０２、受信アナログ回路部１０３、Ａ／Ｄ変換部１０４および復調処理部１０５を備えている。また、基地局１００は、データ変調部１０６、制御信号変調部１０７、同期信号生成部１０８、多重・変調処理部１０９、Ｄ／Ａ変換部１１０、送信アナログ回路部１１１および送信アンテナ部１１２を備えている。
【００５５】
受信アンテナ部１０２は、３つのセクタ各々に、各移動局からの電波を受信する。受信アナログ回路部１０３は、受信した信号を復調可能な周波数に変換する。Ａ／Ｄ変換部１０４は、受信アナログ回路部１０３で処理されたアナログ信号をデジタル信号に変換する。復調処理部１０５は、Ａ／Ｄ変換部１０４で変換されたデジタル信号を復調処理する。
【００５６】
データ変調部１０６は、後述する移動局装置（以下、適宜「移動局」という）２００への送信データを変調する。制御信号変調部１０７は、移動局２００への制御信号を変調する。同期信号生成部１０８は、上記同期信号（Ｐ−ＳＣＨ、Ｓ−ＳＣＨ）を生成する。多重・変調処理部１０９は、同期信号、制御信号およびデータ信号を送信フレームとして多重・変調処理を行なう。Ｄ／Ａ変換部１１０は、変調された信号をアナログ信号に変換する。送信アナログ回路部１１１は、Ｄ／Ａ変換されたアナログ信号を送信に必要な周波数に変換する。送信アンテナ部１１２は、各移動局２００へ送信するためのアンテナである。
【００５７】
基地局１００は、このような構成を有し、セクタ毎の同期信号生成部１０８で上述したＰＳＣ（１）、ＰＳＣ（２）およびＰＳＣ（３）をそれぞれ割り当てる。これにより、一定サブキャリア間隔で３つのＰＳＣで同一の信号が現れるＰ−ＳＣＨを生成、送信することが可能となる。
【００５８】
同一セル内のセクタ端付近の移動局２００は、上述したＰＳＣで同一の信号が送信されるサブキャリアのＰＳＣのみを用いて伝搬路推定を行なうことにより、単一のＰＳＣでのセクタ端での伝搬路推定と同様の特性を得ることが可能となる。
【００５９】
このような伝搬路推定を行なう場合には、移動局２００がセル内での自局の位置を適切に把握しなければならない。このため、本発明に係る移動局２００は、自局の位置を推定して伝搬路推定に用いるサブキャリアを選択する。以下、第１の実施形態に係る移動局２００の一例を示す。図３は、第１の実施形態に係る移動局の構成を示すブロック図である。
【００６０】
図３に示すように、第１の実施形態に係る移動局２００は、受信アンテナ部２０１、受信アナログ回路部２０２、Ａ／Ｄ変換部２０３、同期部２０４、ＧＩ除去部２０５、Ｓ／Ｐ変換部２０６、ＦＦＴ部２０７、伝搬路推定部２０８および復調部２０９を備えている。また、移動局２００は、変調部２１０、ＩＦＦＴ部２１１、Ｐ／Ｓ変換部２１２、ＧＩ付加部２１３、Ｄ／Ａ変換部２１４、送信アナログ回路部２１５、送信アンテナ部２１６および制御部２１７を備えている。
【００６１】
受信アンテナ部２０１は、基地局１００から送信される信号を受信する。受信アナログ回路部２０２は、受信したアナログ信号を復調処理が可能な周波数の信号へ変換する。Ａ／Ｄ変換部２０３は、受信アナログ回路部２０２で処理されたアナログ信号をデジタル信号に変換する。同期部２０４は、受信したデジタル信号を基に基地局１００との同期を行なう。ＧＩ除去部２０５は、同期したタイミングでガードインターバル（ＧＩ）を除去する。Ｓ／Ｐ変換部２０６は、ＧＩを除去したシリアル信号をパラレル信号に変換する。ＦＦＴ部２０７は、パラレル信号に変換された時間領域の信号に対しＦＦＴを行なうことにより周波数領域の信号に変換する。伝搬路推定部２０８は、制御部２１７からの制御信号を基に、周波数領域に変換された信号から伝搬路推定に用いる信号のみを選択して伝搬路推定を行なう。復調部２０９は、周波数領域に変換された信号の復調を行なう。
【００６２】
変調部２１０は、移動局２００からの送信データを変調する。ＩＦＦＴ部２１１は、変調された周波数領域の信号を時間領域の信号に変換する。Ｐ／Ｓ変換部２１２は、ＩＦＦＴ部２１１で変換された時間領域のパラレル信号をシリアル信号に変換する。ＧＩ付加部２１３は、Ｐ／Ｓ変換された信号にＧＩを付加する。Ｄ／Ａ変換部２１４は、ＧＩが付加されたデジタル信号をアナログ信号に変換する。送信アナログ回路部２１５は、Ｄ／Ａ変換されたアナログ信号を送信に必要な周波数に変換する。送信アンテナ部２１６は、基地局１００へ送信するためのアンテナである。制御部２１７は、各回路の動作を制御する。
【００６３】
ここで、第１の実施形態に係る移動局２００が備える同期部２０４の構成について説明する。図４は、第１の実施形態に係る移動局２００が備える同期部２０４の構成を示すブロック図である。
【００６４】
図４に示すように、同期部２０４は、第１〜第３の相関器３０１〜３０３と、第１〜第３のバッファ３０４〜３０６と、最大値検出器３０７と、受信電力測定部３０８と、使用サブキャリア設定部３０９とを備えている。
【００６５】
第１〜第３の相関器３０１〜３０３は、予め保持している３種類のＰＳＣのレプリカと、受信信号との各々の相関をとる。第１〜第３のバッファ３０４〜３０６は、それぞれ第１〜第３の相関器３０１〜３０３の相関結果（相関値）を一定期間保持する。最大値検出器３０７は、第１〜第３のバッファ３０４〜３０６に保持された相関値から、最大値をとるＰＳＣの種類、最大となるタイミング、および最大値を取得する。受信電力測定部３０８は、受信信号の電力を測定する。使用サブキャリア設定部３０９は、受信電力測定部３０８で測定された受信電力と閾値とを比較し、伝搬路推定に利用するサブキャリア情報（伝搬路推定利用サブキャリア情報）を出力する。
【００６６】
なお、同期部２０４は、伝搬路推定利用サブキャリア情報として、受信電力が大きいほど基地局１００に近いものと判断し、受信電力が閾値以上であれば他セルのＰ−ＳＣＨを受信していないとみなし、上述した３つのＰＳＣで同一の信号が送信されるサブキャリアのＰＳＣのみを用いる信号を出力する。これに対し、受信電力が小さいほど基地局から遠いものと判断し、受信電力が閾値未満であれば他セルのＰ−ＳＣＨも受信しているとみなし、上述したＰＳＣで相関値が最大のＰＳＣを用いる信号を出力する。
【００６７】
このように第１の実施形態に係るセルサーチ方法によれば、上記構成を有する同期部２０４を備えた移動局２００を用いることにより、移動局２００の位置に応じて、３つのＰＳＣで同一の信号が送信されるサブキャリアのＰＳＣまたは相関値が最大のＰＳＣを選択し、Ｓ−ＳＣＨの伝搬路推定に用いるＰ−ＳＣＨのサブキャリアを適切に選択することが可能となる。この結果、セルサーチの性能を向上させることができる。
【００６８】
特に、第１の実施形態に係るセルサーチ方法においては、複数のＰＳＣにおける共通する一部に相当する、３つのＰＳＣで同一の信号が送信されるサブキャリアのＰＳＣを用いて伝搬路推定が行なわれるので、単一のＰＳＣでのセクタ端での伝搬路推定と同様の特性を得ることができる。これにより、セクタ端におけるスクランブルコード検出能力を低下させることなく全体のセルサーチ性能を改善することが可能となる。
【００６９】
また、第１の実施形態に係るセルサーチ方法においては、受信電力の大きさに応じて移動局２００の位置を推定することから、移動局２００と基地局１００との距離に応じて伝搬路推定に用いられるＰＳＣを切り替えることができる。
【００７０】
なお、図４に示す使用サブキャリア設定部３０９に入力される閾値としては、例えば、ｉ）予めシステムの仕様により定められた値、ｉｉ）移動局２００にて予め定めた固定値、ｉｉｉ）移動局２００でのセルサーチ失敗の回数などによって計算された値など、様々な値を利用することが可能である。
【００７１】
（第２の実施形態）
第１の実施形態に係るセルサーチ方法においては、伝搬路推定利用サブキャリア情報の算出に受信電力を用いる場合について説明している。これに対し、第２の実施形態に係るセルサーチ方法においては、伝搬路推定利用サブキャリア情報の算出に他の手法を用いる点で第１の実施形態に係るセルサーチ方法と相違する。
【００７２】
なお、第２の実施形態に係るセルサーチ方法においては、移動局２００が備える同期部２０４のみにおいて、第１の実施形態に係るセルサーチ方法と相違する。基地局１００および移動局２００の構成については、第１の実施形態に係るセルサーチ方法と同一であるため、その説明を省略する。
【００７３】
図５は、第２の実施形態に係る移動局２００が備える同期部２０４の構成を示すブロック図である。なお、図５において、図４と同一の符号を付した構成については、同一の機能を有するものとし、その説明を省略する。図５に示すように、第２の実施形態に係る同期部２０４は、第１〜第３の最大値検出器４０１〜４０３、比較部４０４および使用サブキャリア設定部４０５を備える点で、第１の実施形態に係る同期部２０４と相違する。
【００７４】
第１〜第３の最大値検出器４０１〜４０３は、第１〜第３のバッファ３０４〜３０６に保持された相関値から、最大となる各タイミング、および各最大値を取得する。比較部４０４は、第１〜第３の最大値検出器４０１〜４０３で取得した各相関値から、最大となるＰＳＣの種類を選択してセクタ判定結果として出力する一方、最大となるタイミングを時間同期タイミングとして出力する。使用サブキャリア設定部４０５は、入力されたパラメータと、第１〜第３の最大値検出器４０１〜４０３で取得した各相関値の最大値とを用いて伝搬路推定利用サブキャリア情報を出力する。
【００７５】
第１の実施形態に係るセルサーチ方法で説明したように、複数のＰＳＣにおいて、同一の信号が送信されるサブキャリアのＰＳＣ信号のみを用いて伝搬路推定を行なうことは、セクタ端付近に存在する移動局２００に対して有効である。このため、第２の実施形態に係るセルサーチ方法においては、使用サブキャリア設定部４０５が、入力されたパラメータと、第１〜第３の最大値検出器４０１〜４０３で取得した各相関値の最大値とを用いて移動局２００がセクタ端にいるか否かを判定し、その判定結果に応じた伝搬路推定利用サブキャリア情報を出力する。以下、第２の実施形態に係る使用サブキャリア設定部４０５の構成および動作について説明する。ここでは、２つの態様について説明する。
【００７６】
第１の態様の使用サブキャリア設定部４０５（以下、「第１の使用サブキャリア設定部４０５」という）においては、パラメータとして閾値が入力される。第１の使用サブキャリア設定部４０５は、この閾値と、第１〜第３の最大値検出器４０１〜４０３で取得された各相関値とを比較する。そして、閾値以上となる値が２つであれば、伝搬路推定利用サブキャリア情報として、３つのＰＳＣで同一の信号が送信されるサブキャリアのＰＳＣ信号のみを用いる信号を出力する。一方、閾値以上となる値が２つ以外であれば、伝搬路推定利用サブキャリア情報として、相関値が最大のＰＳＣを用いる信号を出力する。
【００７７】
すなわち、電力の強い２種類のＰＳＣが観測された場合には、移動局２００がセル端ではなくセクタ端にいると判定する一方、それ以外であれば、移動局２００がセクタ中心、あるいはセル端にいると判定する。そして、前者の場合には、３つのＰＳＣで同一の信号が送信されるサブキャリアのＰＳＣを用いて伝搬路推定を行なうため、単一のＰＳＣでのセクタ端での伝搬路推定と同様の特性を得ることができる。これにより、セクタ端におけるスクランブルコード検出能力を低下させることなく全体のセルサーチ性能を改善することが可能となる。
【００７８】
このような第１の使用サブキャリア設定部４０５の動作について図６を用いて説明する。図６は、第２の実施形態に係る第１の使用サブキャリア設定部４０５の動作について説明するためのフローチャートである。
【００７９】
図６に示すように、第１の使用サブキャリア設定部４０５は、まず、変数Ｔｈを０にリセットし（ステップ（以下、「ＳＴ」という）１１）、ＳＴ１２に進む。ＳＴ１２においては、第１の最大値検出器４０１から取得した相関値１と閾値とを比較する。比較の結果、相関値１が閾値以上であればＳＴ１３に進み、閾値未満であればＳＴ１４に進む。ＳＴ１３においては、変数Ｔｈの値に１を加算し、ＳＴ１４に進む。
【００８０】
ＳＴ１４においては、第２の最大値検出器４０２から取得した相関値２と閾値とを比較する。比較の結果、相関値２が閾値以上であればＳＴ１５に進み、閾値未満であればＳＴ１６に進む。ＳＴ１５においては、変数Ｔｈの値に１を加算し、ＳＴ１６に進む。ＳＴ１６においては、第３の最大値検出器４０３から取得した相関値３と閾値とを比較する。比較の結果、相関値３が閾値以上であればＳＴ１７に進み、閾値未満であればＳＴ１８に進む。ＳＴ１７においては、変数Ｔｈの値に１を加算し、ＳＴ１８に進む。
【００８１】
ＳＴ１８においては、変数Ｔｈの値が２であるか否かを判定する。この判定の結果、変数Ｔｈの値が２であればＳＴ１９に進み、２以外であればＳＴ２０に進む。そして、ＳＴ１９においては、伝搬路推定利用サブキャリア情報として、３つのＰＳＣで同一の信号が送信されるサブキャリアのＰＳＣのみを用いる信号を制御部２１７に出力する。一方、ＳＴ２０においては、伝搬路推定利用サブキャリア情報として、相関値が最大のＰＳＣを用いる信号を制御部に出力する。このような動作により、移動局２００がセクタ端にいるか否かを判定し、その判定結果に応じた伝搬路推定利用サブキャリア情報を制御部２１７に出力することが可能となる。
【００８２】
一方、第２の態様の使用サブキャリア設定部４０５（以下、「第２の使用サブキャリア設定部４０５」という）においては、パラメータとして閾値１および閾値２が入力される。第２の使用サブキャリア設定部４０５は、第１〜第３の最大値検出器４０１〜４０３で取得した各相関値（相関値１、相関値２、相関値３）の大きさを比較する。そして、最大値と２番目に大きい値との差の絶対値（Ｄａ）と、２番目に大きい値と最小値との差の絶対値（Ｄｂ）とを算出する。そして、これらの絶対値（Ｄａ、Ｄｂ）と、上記閾値（閾値１および閾値２）とを比較する。そして、Ｄａが閾値１未満かつ、Ｄｂが閾値２以上であれば、伝搬路推定利用サブキャリア情報として、３つのＰＳＣで同一の信号が送信されるサブキャリアのＰＳＣのみを用いる信号を出力する。一方、それ以外であれば、伝搬路推定利用サブキャリア情報として、相関値が最大のＰＳＣを用いる信号を出力する。
【００８３】
すなわち、２種類のＰＳＣが同程度の電力で観測され、かつ残りの種類のＰＳＣが低電力で観測された場合には、移動局２００がセクタ端にいると判定する一方、それ以外であれば、移動局２００がセクタ中心、あるいはセル端にいると判定する。そして、前者の場合には、３つのＰＳＣで同一の信号が送信されるサブキャリアのＰＳＣを用いて伝搬路推定を行なうため、単一のＰＳＣでのセクタ端での伝搬路推定と同様の特性を得ることができる。これにより、セクタ端におけるスクランブルコード検出能力を低下させることなく全体のセルサーチ性能を改善することが可能となる。
【００８４】
このような第２の使用サブキャリア設定部４０５の動作について図７を用いて説明する。図７は、第２の実施形態に係る第２の使用サブキャリア設定部４０５の動作について説明するためのフローチャートである。
【００８５】
図７に示すように、第２の使用サブキャリア設定部４０５は、まず、ＳＴ２１において、第１の最大値検出器４０１から取得した相関値１と、第２の最大値検出器４０２から取得した相関値２と、第３の最大値検出器４０３から取得した相関値３とを比較し、最大値をＡ、２番目に大きい値をＢ、最小値をＣとおき、ＳＴ２２に進む。ＳＴ２２においては、Ｄａ＝Ａ−Ｂ、Ｄｂ＝Ｂ−Ｃを計算し、ＳＴ２３に進む。
【００８６】
ＳＴ２３においては、Ｄａと閾値１とを比較する。比較の結果、Ｄａが閾値１未満であればＳＴ２４に進み、閾値１以上であればＳＴ２６に進む。ＳＴ２４においては、Ｄｂと閾値２とを比較する。比較の結果、Ｄｂが閾値２以上であればＳＴ２５に進み、閾値２未満であればＳＴ２６に進む。
【００８７】
そして、ＳＴ２５においては、伝搬路推定利用サブキャリア情報として、３つのＰＳＣで同一の信号が送信されるサブキャリアのＰＳＣのみを用いる信号を制御部２１７に出力する。一方、ＳＴ２６においては、伝搬路推定利用サブキャリア情報として、相関値が最大のＰＳＣを用いる信号を制御部２１７に出力する。このような動作により、移動局２００がセクタ端にいるか否かを判定し、その判定結果に応じた伝搬路推定利用サブキャリア情報を制御部２１７に出力することが可能となる。
【００８８】
なお、ＳＴ２４においては、相関値の差分と閾値２とを比較しているが、最小となる相関値と閾値２とを比較して判定することも可能である。この場合には、最大値となる相関値に関しても別の閾値３（閾値３＞閾値２）との比較を行ない、最小となる相関値との差が十分大きいか否かを判断するべきである。
【００８９】
（第３の実施形態）
第２の実施形態に係るセルサーチ方法においては、伝搬路推定利用サブキャリア情報の算出に、第１〜第３の最大値検出器４０１〜４０３で取得した各相関値の最大値のみを用いる場合について説明している。これに対し、第３の実施形態に係るセルサーチ方法においては、伝搬路推定利用サブキャリア情報の算出に、第１〜第３の最大値検出器４０１〜４０３で取得した各相関値の最大値のみならず、各最大となるタイミングを用いる点で第２の実施形態に係るセルサーチ方法と相違する。
【００９０】
なお、第３の実施形態に係るセルサーチ方法においては、移動局２００が備える同期部２０４のみにおいて、第２の実施形態に係るセルサーチ方法と相違する。基地局１００および移動局２００の構成については、第２の実施形態に係るセルサーチ方法と同一であるため、その説明を省略する。
【００９１】
図８は、第３の実施形態に係る移動局２００が備える同期部２０４の構成を示すブロック図である。なお、図８において、図５と同一の符号を付した構成については、同一の機能を有するものとし、その説明を省略する。図８に示すように、第３の実施形態に係る同期部２０４は、使用サブキャリア設定部５０１を備える点で、第２の実施形態に係る同期部２０４と相違する。
【００９２】
使用サブキャリア設定部５０１は、入力されたパラメータと、第１〜第３の最大値検出器４０１〜４０３で取得した各相関値の最大値と、各最大となるタイミングとを用いて伝搬路推定利用サブキャリア情報を出力する。すなわち、各相関値の最大値のみならず、各最大となるタイミングを用いて伝搬路推定利用サブキャリア情報を出力する点で第２の実施形態に係る使用サブキャリア設定部４０５と相違する。
【００９３】
使用サブキャリア設定部５０１は、入力されたパラメータと、第１〜第３の最大値検出器４０１〜４０３で取得した各相関値の最大値と、各最大となるタイミングとを用いて移動局２００がセクタ端にいるか否かを判定し、その判定結果に応じた伝搬路推定利用サブキャリア情報を出力する。以下、第３の実施形態に係る使用サブキャリア設定部５０１の構成および動作について説明する。ここでは、２つの態様について説明する。
【００９４】
第１の態様の使用サブキャリア設定部５０１（以下、「第１の使用サブキャリア設定部５０１」という）においては、パラメータとして閾値Ｐおよび閾値ｔが入力される。第１の使用サブキャリア設定部５０１は、このうち、閾値Ｐと、第１〜第３の最大値検出器４０１〜４０３で取得された各相関値とを比較する。そして、閾値Ｐ以上となる値が２つであり、かつ２つの最大となるタイミングの差が閾値ｔ以下であれば、伝搬路推定利用サブキャリア情報として、３つのＰＳＣで同一の信号が送信されるサブキャリアのＰＳＣ信号のみを用いる信号を出力する。一方、それ以外であれば、伝搬路推定利用サブキャリア情報として、相関値が最大のＰＳＣを用いる信号を出力する。
【００９５】
すなわち、電力の強い（閾値Ｐ以上の）２種類のＰＳＣが、ほぼ同時刻（閾値ｔ以内）に観測された場合には、移動局２００がセル端ではなくセクタ端にいると判定する一方、それ以外であれば、移動局２００がセクタ中心、あるいはセル端にいると判定する。そして、前者の場合には、３つのＰＳＣで同一の信号が送信されるサブキャリアのＰＳＣを用いて伝搬路推定を行なうため、単一のＰＳＣでのセクタ端での伝搬路推定と同様の特性を得ることができる。これにより、セクタ端におけるスクランブルコード検出能力を低下させることなく全体のセルサーチ性能を改善することが可能となる。
【００９６】
このような第１の使用サブキャリア設定部５０１の動作について図９を用いて説明する。図９は、第３の実施形態に係る第１の使用サブキャリア設定部５０１の動作について説明するためのフローチャートである。
【００９７】
図９に示すように、第１の使用サブキャリア設定部５０１は、まず、ＳＴ３１において、第１の最大値検出器４０１から取得した相関値１と、第２の最大値検出器４０２から取得した相関値２と、第３の最大値検出器４０３から取得した相関値３とを比較し、最大値をＡ、そのタイミングをＡｔ、２番目に大きい値をＢ、そのタイミングをＢｔ、最小値をＣとおき、ＳＴ３２に進む。
【００９８】
そして、ＳＴ３２においては、Ａと閾値Ｐとを比較する。比較の結果、Ａが閾値Ｐ以上であればＳＴ３３に進み、閾値Ｐ未満であればＳＴ３７に進む。また、ＳＴ３３においては、Ｂと閾値Ｐとを比較する。比較の結果、Ｂが閾値Ｐ以上であればＳＴ３４に進み、閾値Ｐ未満であればＳＴ３７に進む。さらに、ＳＴ３４においては、Ｃと閾値Ｐとを比較する。比較の結果、Ｃが閾値Ｐ未満であればＳＴ３５に進み、閾値Ｐ以上であればＳＴ３７に進む。
【００９９】
ＳＴ３５においては、ＡｔとＢｔの差（Ａｔ−Ｂｔの絶対値）と閾値ｔとを比較する。比較の結果、ＡｔとＢｔの差が閾値ｔ未満であればＳＴ３６に、閾値ｔ以上であればＳＴ３７に進む。
【０１００】
そして、ＳＴ３６においては、伝搬路推定利用サブキャリア情報として、３つのＰＳＣで同一の信号が送信されるサブキャリアのＰＳＣのみを用いる信号を制御部２１７に出力する。一方、ＳＴ３７においては、伝搬路推定利用サブキャリア情報として、相関値が最大のＰＳＣを用いる信号を制御部２１７に出力する。このような動作により、移動局２００がセクタ端にいるか否かを判定し、その判定結果に応じた伝搬路推定利用サブキャリア情報を制御部２１７に出力することが可能となる。
【０１０１】
一方、第２の態様の使用サブキャリア設定部５０１（以下、「第２の使用サブキャリア設定部５０１」という）においては、パラメータとして閾値１および閾値２、並びに、閾値ｔが入力される。第２の使用サブキャリア設定部５０１は、第１〜第３の最大値検出器４０１〜４０３で取得した各相関値（相関値１、相関値２、相関値３）の大きさを比較する。そして、最大値と２番目に大きい値との差の絶対値（Ｄａ）と、２番目に大きい値と最小値との差の絶対値（Ｄｂ）とを算出する。
【０１０２】
そして、Ｄａが閾値１未満かつ、Ｄｂが閾値２以上であり、最大値と２番目に大きい値をとる相関のタイミングの差が閾値ｔ以下であれば、伝搬路推定利用サブキャリア情報として、３つのＰＳＣで同一の信号が送信されるサブキャリアのＰＳＣのみを用いる信号を出力する。一方、それ以外であれば、伝搬路推定利用サブキャリア情報として、相関値が最大のＰＳＣを用いる信号を出力する。
【０１０３】
すなわち、２種類のＰＳＣが同程度の電力でほぼ同時刻に観測され、かつ残りの種類のＰＳＣが低電力で観測された場合には、移動局２００がセクタ端にいると判定する一方、それ以外であれば、移動局２００がセクタ中心、あるいはセル端にいると判定する。そして、前者の場合には、３つのＰＳＣで同一の信号が送信されるサブキャリアのＰＳＣを用いて伝搬路推定を行なうため、単一のＰＳＣでのセクタ端での伝搬路推定と同様の特性を得ることができる。これにより、セクタ端におけるスクランブルコード検出能力を低下させることなく全体のセルサーチ性能を改善することが可能となる。
【０１０４】
このような第２の使用サブキャリア設定部５０１の動作について図１０を用いて説明する。図１０は、第３の実施形態に係る第２の使用サブキャリア設定部５０１の動作について説明するためのフローチャートである。
【０１０５】
図１０に示すように、第２の使用サブキャリア設定部５０１は、まず、ＳＴ４１において、第１の最大値検出器４０１から取得した相関値１と、第２の最大値検出器４０２から取得した相関値２と、第３の最大値検出器４０３から取得した相関値３とを比較し、最大値をＡ、２番目に大きい値をＢ、最小値をＣとおき、ＳＴ４２に進む。ＳＴ４２においては、Ｄａ＝Ａ−Ｂ、Ｄｂ＝Ｂ−Ｃを計算し、ＳＴ４３に進む。
【０１０６】
ＳＴ４３においては、Ｄａと閾値１とを比較する。比較の結果、Ｄａが閾値１未満であればＳＴ４４に進み、閾値１以上であればＳＴ４７に進む。ＳＴ４４においては、Ｄｂと閾値２とを比較する。比較の結果、Ｄｂが閾値２以上であればＳＴ４５に進み、閾値２未満であればＳＴ４７に進む。そして、ＳＴ４５においては、ＡｔとＢｔの差（Ａｔ−Ｂｔの絶対値）と閾値ｔとを比較する。比較の結果、ＡｔとＢｔの差が閾値ｔ未満であればＳＴ４６に進み、閾値ｔ以上であればＳＴ４７に進む。
【０１０７】
そして、ＳＴ４６においては、伝搬路推定利用サブキャリア情報として、３つのＰＳＣで同一の信号が送信されるサブキャリアのＰＳＣのみを用いる信号を制御部２１７に出力する。一方、ＳＴ４７においては、伝搬路推定利用サブキャリア情報として、相関値が最大のＰＳＣを用いる信号を制御部２１７に出力する。このような動作により、移動局２００がセクタ端にいるか否かを判定し、その判定結果に応じた伝搬路推定利用サブキャリア情報を制御部２１７に出力することが可能となる。
【０１０８】
なお、ＳＴ４４においては、第２の実施形態におけるＳＴ２４と同様に、相関値の差分と閾値２とを比較しているが、最小となる相関値と閾値２を比較して判定することも可能である。この場合には、最大値となる相関値に関しても別の閾値３（閾値３＞閾値２）との比較を行ない、最小となる相関値との差が十分大きいか否かを判断するべきである。
【０１０９】
（第４の実施形態）
第１の実施形態〜第３の実施形態に係るセルサーチ方法においては、３つの直交するＰＳＣを１つの系列の位相を変化させることによって生成する場合について説明している。これに対し、第４の実施形態に係るセルサーチ方法は、後述するＰＳＣｃと、ＰＳＣｄとを周波数多重することにより３種類のＰＳＣを生成する点で第１の実施形態〜第３の実施形態に係るセルサーチ方法と相違する。なお、第４の実施形態に係るセルサーチ方法においては、第１の実施形態〜第３の実施形態に係る基地局１００および移動局２００を利用することができる。
【０１１０】
図１１に、第４の実施形態に係るセルサーチ方法で用いられる、Ｐ−ＳＣＨの一例を示す。図１１に示すように、セクタ１のＰ−ＳＣＨ符号（ＰＳＣ（１））、セクタ２のＰ−ＳＣＨ符号（ＰＳＣ（２））、セクタ３のＰ−ＳＣＨ符号（ＰＳＣ（３））は、ＰＳＣｃと、ＰＳＣｄ（１）と、ＰＳＣｄ（２）と、ＰＳＣｄ（３）とから構成される。
【０１１１】
ここで、ＰＳＣｄ（１）とＰＳＣｄ（２）とＰＳＣｄ（３）とは、それぞれ直交の関係にある。ＰＳＣｃと各ＰＳＣｄとは直交の関係であってもなくてもよいが、組み合わせて構成されたＰＳＣ（１）とＰＳＣ（２）とＰＳＣ（３）との時間領域での信号は、タイミング同期をとるために相互相関値が低い特性であることが望ましい。
【０１１２】
このようにＰＳＣを設定しておき、移動局２００の伝搬路推定部２０８によって、セル端においてはＰＳＣｄのみを用いて伝搬路推定を行なう一方、セル中心付近ではＰＳＣｃのみ、あるいはＰＳＣｃおよびＰＳＣｄの両方を用いて伝搬路推定を行なうことで、第１の実施形態〜第３の実施形態に係るセルサーチ方法と同様の効果を得ることができる。
【０１１３】
（第５の実施形態）
第４の実施形態に係るセルサーチ方法においては、３種類のＰＳＣを、ＰＳＣｃとＰＳＣｄとを周波数多重することにより生成する場合について説明している。これに対し、第５の実施形態に係るセルサーチ方法は、ＰＳＣｃとＰＳＣｄとを時間多重することにより３種類のＰＳＣを生成する点で第４の実施形態に係るセルサーチ方法と相違する。なお、第５の実施形態に係るセルサーチ方法においては、第４の実施形態に係るセルサーチ方法と同様に、第１の実施形態〜第３の実施形態に係る基地局１００および移動局２００を利用することができる。
【０１１４】
図１２は、第５の実施形態に係るセルサーチ方法における無線フレームを説明するための図である。図１２に示すように、第５の実施形態に係るセルサーチ方法における無線フレーム（１０ｍｓ）は、０．５ｍｓの２０個のサブフレームから構成されている。各々のサブフレームは、７つのＯＦＤＭシンボルで構成されている。第５の実施形態に係るＰ−ＳＣＨは、２つのＯＦＤＭシンボルを用いて構成され、１つ目のＰ−ＳＣＨのＯＦＤＭシンボルにはセクタ間で共通なＰＳＣｃを配置し、２つ目のＰ−ＳＣＨのＯＦＤＭシンボルにはセクタ間で直交するＰＳＣｄを配置している。なお、図１２（ａ）に示す無線フレームにおいては、１サブフレーム内に２つのＰ−ＳＣＨを配置する場合について示し、図１２（ｂ）においては、１フレーム内に２つのＰ−ＳＣＨを配置する場合について示している。
【０１１５】
図１３に、第５の実施形態に係るセルサーチ方法で用いられるＰ−ＳＣＨの一例を示す。図１３に示すように、セクタ１のＰ−ＳＣＨ符号（ＰＳＣ（１））、セクタ２のＰ−ＳＣＨ符号（ＰＳＣ（２））、セクタ３のＰ−ＳＣＨ符号（ＰＳＣ（３））は、１つ目のＯＦＤＭシンボルに配置されるＰＳＣｃと、２つ目のＯＦＤＭシンボルに配置される、ＰＳＣｄ（１）、ＰＳＣｄ（２）およびＰＳＣｄ（３）で構成される。
【０１１６】
ここでＰＳＣｄ（１）とＰＳＣｄ（２）とＰＳＣｄ（３）とは、それぞれ直交の関係にある。ＰＳＣｃと各ＰＳＣｄとは直交の関係であってもなくてもよい。
【０１１７】
このようにＰＳＣを設定しておき、第４の実施形態に係るセルサーチ方法と同様に、移動局２００の伝搬路推定部２０８によって、セル端においてはＰＳＣｄのみを用いて伝搬路推定を行なう一方、セル中心付近ではＰＳＣｃのみ、あるいはＰＳＣｃおよびＰＳＣｄの両方を用いて伝搬路推定を行なうことで、第１の実施形態〜第３の実施形態に係るセルサーチ方法と同様の効果を得ることができる。
【０１１８】
（第６の実施形態）
上記の第４の実施形態では、伝搬路推定について、３つのＰＳＣで同一の信号が送信されるサブキャリアのＰＳＣのみを用いるか、相関値が最大のＰＳＣを用いるかを選択する方法について述べた。本実施形態では、３つのＰＳＣで同一の信号が送信されるサブキャリアにセルサーチで優先度の高い情報（例えば当該セルの通常のマクロセル・ホットスポットのようなマイクロセルの区分情報、Ｓ−ＳＣＨに乗ぜられているスクランブリング符号の情報など）を持つＳ−ＳＣＨの一部を配置することによりセルサーチ性能を向上させる方法を示す。本実施形態で用いる基地局１００および移動局２００の構成については、第４の実施形態に係るセルサーチ方法と同一であるため、その説明を省略する。
【０１１９】
図１４は、本実施形態におけるＰ−ＳＣＨとＳ−ＳＣＨの周波数軸上での配置の例を示す図である。図１４において、時間軸上での配置は図１６に示すものを用いる。本実施形態で用いるＰ−ＳＣＨの周波数軸上での配置は第４の実施形態と同様に、セクタ共通の符号であるＰＳＣｃが一定間隔でサブキャリア上に配置されている。次に、Ｓ−ＳＣＨ符号はＳ−ＳＣＨ符号全体の長さよりも短い複数の符号から構成される。ここでは、図１４に示すように２つの符号（長さ３のｓ１と長さ９のｓ２）で長さ１１のＳ−ＳＣＨ符号が構成されるものとする。ｓ１はＰ−ＳＣＨのＰＳＣｃが配置されたサブキャリアと同じサブキャリア上に配置する。その他のサブキャリア上にｓ２を配置する。
【０１２０】
移動局２００の本実施形態における伝搬路推定部において、セル端においてはＰＳＣｄのみを用いて伝搬路推定を行なう一方、セル中心付近ではＰＳＣｃのみ、あるいはＰＳＣｃおよびＰＳＣｄの両方を用いて伝搬路推定を行なうことで、第１の実施形態〜第３の実施形態に係るセルサーチ方法と同様の効果を得ることができる。
【０１２１】
ここで、セル中心付近におけるｓ１の伝搬路補償に関しては、図１５に示すように、同一サブキャリア上のＰＳＣｃの受信信号ｃ’と移動局にて保持している符号ｃとのサブキャリア毎の振幅・位相差から伝搬路推定を行ない、前記伝搬路推定値を用いて、受信したｓ１’に対してサブキャリア毎の補償を行なう（ｓ１＝ｓ１’×ｃ／ｃ’）ことにより、補完処理などを用いずに精度のよい補償を行なうことができる。すなわち、３つのＰＳＣで同一の信号が送信されるサブキャリアに優先度の高い情報を持つＳ−ＳＣＨの一部（ここではｓ１）を配置することによりｓ１の復調精度を高めることができ、セルサーチ性能を向上させることができる。
【０１２２】
上記優先度の高い情報が、マクロセル・マイクロセルの区分であれば、ｓ２の符号から情報を取得する前に自移動局が所望するセルで無い場合、次のセルサーチに移ることが可能となる。また、上記優先度の高い情報が、ｓ２に乗ぜられているスクランブリング符号の情報であれば、ｓ１からスクランブリング符号情報を得た後にｓ２のスクランブルを解除することでｓ２から情報を取得することができる。
【０１２３】
本実施形態では、ＰＳＣｃのサブキャリアと同一のサブキャリアにｓ１を配置しているが、伝搬路補償精度の低下が許容できれば、隣接するサブキャリアにも配置することが可能である。また、本実施の形態では第４の実施形態におけるＰ−ＳＣＨ符号を用いているが、第１〜第３の実施形態におけるＰ−ＳＣＨ符号を用いても同様の効果が得られる。また、第１〜第６の実施形態では、セクタで共通の信号であるＳ−ＳＣＨの伝搬路補償を行なうために、３つのＰＳＣで同一の信号が送信されるサブキャリアのＰＳＣを用いた伝搬路推定を行なっているが、セクタで共通である別の信号（例えばセル全体に報知を行なうブロードキャストチャネルなど）の伝搬路補償のために前記ＰＳＣを用いることもできる。
【０１２４】
なお、上記第１の実施形態〜第６の実施形態に係るセルサーチ方法においては、３つのＰＳＣで同一の信号が送信されるサブキャリアのＰＳＣのみを用いて伝搬路推定を行なうか、相関値が最大のＰＳＣを用いて行なうかのみを示している。この場合において、相関値が最大のＰＳＣを用いて行なう方法については２種類ある。
【０１２５】
第１の方法は、受信したＰ−ＳＣＨの信号とＰＳＣとの周波数領域でのずれをそのまま把握するものである。この方法は、他のＰＳＣが受信されないセル中央付近の伝搬路推定に適している。第２の方法は、ＰＳＣの直交性を利用したもので、直交している単位で各ＰＳＣを分離することが可能となることを利用し、受信したＰ−ＳＣＨの信号とＰＳＣとの周波数領域での直交している単位でのずれを把握するものである。この方法は、他セルのＰＳＣが受信されるセル端付近での伝搬路推定に適している。
【０１２６】
従って、第１の実施形態に係るセルサーチ方法においては、受信電力が閾値未満であれば、常に第２の方法を用いた伝搬路推定を行なうことが考えられる。また、第２の実施形態〜第６の実施形態に係るセルサーチ方法においては、相関値が最大のＰＳＣを用いて行なう場合において、最大となる相関値がある閾値以上であればセル中心付近とみなし、第１の方法を用いた伝搬路推定を行ない、閾値未満であれば第２の方法を用いた伝搬路推定を行なうことが考えられる。
【０１２７】
本発明は、上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【０１２８】
例えば、第１の実施形態〜第６の実施形態に係るセルサーチ方法においては、３種類のＰＳＣを用いた場合について説明しているが、ＰＳＣの種類についてはこれに限定されるものではなく、適宜変更が可能である。３種類以外の複数種類であっても、第１の実施形態に係るセルサーチ方法においてはそのまま、第２の実施形態〜第６の実施形態に係るセルサーチ方法においては“相関が大きい上位２種類”と“それ以外”のＰＳＣについて電力差、タイミング差を測定することによって実現可能である。
【図面の簡単な説明】
【０１２９】
【図１】本発明の第１の実施形態に係るセルサーチ方法で用いられるＰ−ＳＣＨの一例を示す図である。
【図２】第１の実施形態に係る基地局の構成を示すブロック図である。
【図３】第１の実施形態に係る移動局の構成を示すブロック図である。
【図４】第１の実施形態に係る移動局が備える同期部の構成を示すブロック図である。
【図５】本発明の第２の実施形態に係る移動局が備える同期部の構成を示すブロック図である。
【図６】第２の実施形態に係る第１の使用サブキャリア設定部の動作について説明するためのフローチャートである。
【図７】第２の実施形態に係る第２の使用サブキャリア設定部の動作について説明するためのフローチャートである。
【図８】本発明の第３の実施形態に係る移動局が備える同期部の構成を示すブロック図である。
【図９】第３の実施形態に係る第１の使用サブキャリア設定部の動作について説明するためのフローチャートである。
【図１０】第３の実施形態に係る第２の使用サブキャリア設定部の動作について説明するためのフローチャートである。
【図１１】本発明の第４の実施形態に係るセルサーチ方法で用いられるＰ−ＳＣＨの一例を示す図である。
【図１２】本発明の第５の実施形態に係るセルサーチ方法における無線フレームを説明するための図である。
【図１３】第５の実施形態に係るセルサーチ方法で用いられるＰ−ＳＣＨの一例を示す図である。
【図１４】第６の実施形態におけるＰ−ＳＣＨとＳ−ＳＣＨの周波数軸上での配置の例を示す図である。
【図１５】第６の実施形態において、同一サブキャリア上のＰＳＣｃの受信信号ｃ’と移動局にて保持している符号ｃとのサブキャリア毎の振幅・位相差から伝搬路推定を行ない、受信したｓ１’に対してサブキャリア毎の補償を行なう様子を示す図である。
【図１６】従来の無線フレーム図である。
【図１７】セルの構成の一例を示す図である。
【符号の説明】
【０１３０】
１００  基地局装置（基地局）
１０１  制御部
１０２  受信アンテナ部
１０３  受信アナログ回路部
１０４  Ａ／Ｄ変換部
１０５  復調処理部
１０６  データ変調部
１０７  制御信号変調部
１０８  同期信号生成部
１０９  多重・変調処理部
１１０  Ｄ／Ａ変換部
１１１  送信アナログ回路部
１１２  送信アンテナ部
２００  移動局装置（移動局）
２０１  受信アンテナ部
２０２  受信アナログ回路部
２０３  Ａ／Ｄ変換部
２０４  同期部
２０５  ＧＩ除去部
２０６  Ｓ／Ｐ変換部
２０７  ＦＦＴ部
２０８  伝搬路推定部
２０９  復調部
２１０  変調部
２１１  ＩＦＦＴ部
２１２  Ｐ／Ｓ変換部
２１３  ＧＩ付加部
２１４  Ｄ／Ａ変換部
２１５  送信アナログ回路部
２１６  送信アンテナ部
２１７  制御部
３０１  第１の相関器
３０２  第２の相関器
３０３  第３の相関器
３０４  第１のバッファ
３０５  第２のバッファ
３０６  第３のバッファ
３０７  最大値検出器
３０８  受信電力測定部
３０９、４０５、５０１  使用サブキャリア設定部
４０１  第１の最大値検出器
４０２  第２の最大値検出器
４０３  第３の最大値検出器
４０４  比較部
【図１】
2008263576.tif 000003
【図２】
2008263576.tif 000004
【図３】
2008263576.tif 000005
【図４】
2008263576.tif 000006
【図５】
2008263576.tif 000007
【図６】
2008263576.tif 000008
【図７】
2008263576.tif 000009
【図８】
2008263576.tif 000010
【図９】
2008263576.tif 000011
【図１０】
2008263576.tif 000012
【図１１】
2008263576.tif 000013
【図１２】
2008263576.tif 000014
【図１３】
2008263576.tif 000015
【図１４】
2008263576.tif 000016
【図１５】
2008263576.tif 000017
【図１６】
2008263576.tif 000018
【図１７】
2008263576.tif 000019